(57)【要約】【課題】平面電極を有するメモリカード用の表面実装されるコネクタにおいて、プリント基板表面からの高さを抑えた構成の薄形のメモリカード用コネクタを得る。ＭＭＣカード上位互換カードとＳＤカードを共用できるメモリカード用コネクタを得る。【解決手段】メモリカード用コネクタを、収容空間を上部に設けるとともに下方の表面実装面となる底面より更に下方に突出した突出支持部を具備したカード収容体と、前記表面実装面位置または前記表面実装面より下方位置で前記突出支持部に支持された弾性コンタクト含み構成する。【選択図】        図４
2004152541.tif 000002
【特許請求の範囲】
【請求項１】
矩形薄板状で片面に平面電極を配したメモリカードに対応した、略矩形薄板状でプリント基板に表面実装されるメモリカード用コネクタであって、
一方の側端面にメモリカード挿入口が開口した収容空間を上部に設けるとともに下方の表面実装面となる底面より更に下方に突出しプリント基板に設ける所定貫通孔に対応した突出支持部を具備した絶縁体でなる有底矩形状のカード収容体と、前記突出支持部に支持される長尺薄板状で弾性を有する金属でなる多数の第１弾性コンタクト群とを含み構成され、
前記第１弾性コンタクトそれぞれが、表面実装面位置で表面実装用電極部となる一方の端部の近傍が前記表面実装面位置または前記表面実装面より下方位置で前記突出支持部に支持されて延在し、他方の端部が前記収容空間に先端接触部として位置して、前記収容空間内に収容されたメモリカード下面の各平面電極に個々に接触するように構成されていることを特徴とするメモリカード用コネクタ。
【請求項２】
前記突出支持部が、前記収容空間内に収容されたメモリカード下面の所定平面電極の位置よりも前記挿入口側に形成されるとともに、この突出支持部に支持される前記第１弾性コンタクトは、前記先端接触部が前記カード収容体の軸方向端部側壁に向けて伸び前記収容空間内に収容されたメモリカード下面の所定平面電極に個々に接触するように形成されていることを特徴とする請求項１に記載のメモリカード用コネクタ。
【請求項３】
前記突出支持部が、前記カード収容体の軸方向端部側に端部側壁に連続して形成されるとともに、この突出支持部に前記表面実装面より下方位置で支持される前記第１弾性コンタクトは、前記先端接触部が前記カード収容体の挿入口側に向けて伸び前記収容空間内に収容されたメモリカード下面の所定平面電極に個々に接触するように形成されていることを特徴とする請求項１に記載のメモリカード用コネクタ。
【請求項４】
請求項２または請求項３のいずれかに記載のメモリカード用コネクタであって、更に、表面実装面位置で表面実装用電極部となる一方の端部の近傍が前記カード収容体の軸方向端部側壁に前記表面実装面位置または前記表面実装面より上方位置で固定されて延在し、他方の端部が前記収容空間に先端接触部として位置して、前記収容空間内に収容されたメモリカード下面の所定平面電極に個々に接触する多数の第２弾性コンタクト群を備えたことを特徴とするメモリカード用コネクタ。
【請求項５】
前記収容空間および前記第２弾性コンタクト群を、マルチメディアカードおよび／またはＳＤカードに適合させたことを特徴とする請求項４に記載のメモリカード用コネクタ。
【発明の詳細な説明】
【０００１】
【発明の属する技術分野】
本発明は、電子装置等にマルチメディアカードやＳＤ（Ｓｅｃｕｒｅ  Ｄｉｇｉｔａｌ）カード等の着脱自在なカード状の小形メモリカードを装着するために、プリント基板に表面実装されるメモリカード用コネクタに関する。
【０００２】
【従来の技術】
半導体メモリは、各種電子装置に固定的に組み込まれる以外にも、電子装置に設けられたコネクタに着脱自在なメモリカードの形態で使用される。近年、半導体メモリの大容量化および小形化が著しく進み、メモリカードも一段と小形の寸法規格に準拠したものが実用化されている。
【０００３】
例えば、メモリカードの一規格に準拠したＭＭＣ（マルチメディアカード）は、３２ｍｍ×２４ｍｍ×１．４ｍｍの外形寸法で内部にフラッシュメモリ素子がモールドされており、６４Ｍバイトを超える容量を持つものも実用化されている。ＳＤ（Ｓｅｃｕｒｅ  Ｄｉｇｉｔａｌ）カードは、３２ｍｍ×２４ｍｍ×２．１ｍｍの外形寸法となっている。これらのメモリカードは、記憶容量が大きくかつ小型であることから、携帯電話やデジタルカメラ等の小型の電子機器に搭載されるようになってきている。
【０００４】
ところで、一般にメモリカードは電子機器に設けられたメモリカード用コネクタに装着して使用される。この時、回路基板に表面実装するようにしたコネクタも多い。この種のメモリカード用コネクタはメモリカードの種類毎に定められた接続端子配列電気的仕様規格や寸法規格等に適合するように設計されている。
【０００５】
一般に、ほぼ偏平直方体形状のメモリカードにおいて、外部との電気接続のための端子は、メモリカードの長手方向の一端面に規定配置で多数のレセクタプルを設けるか（第１形態）、或いは、カードの表面あるいは裏面の所定位置に互いに絶縁された適宜面積の平面電極を多数個密集して形成される（第２形態）。
【０００６】
メモリカードに対応するコネクタは、前記第１形態のカード端部に接続端子を持つメモリカード用のものは、一般的にメモリカードを収納する直方体状の空間部を形成してこの空間部の一端に接続端子（レセクタプル）群に対応して同数の接続ピンを設けるとともに他方端は外部に開口している。この開口部よりメモリカードを挿入することによりメモリカードとコネクタが電気接続される。
【０００７】
前記第２形態の、カードの片表面上に平面電極を設けたメモリカード用のコネクタは、一般的にメモリカード全体あるいはその一部を収納する直方体状の空間部を形成し、この空間部の一端を外部に開口させ、この開口部より挿入したメモリカードが所定位置に収まった状態で、個々に付勢されて前記平面電極に押圧接触する複数の弾性コンタクト（接触子）を設けた構造をとっている。これにより挿入されたメモリカードとコネクタが電気接続される。
【０００８】
なお、これらコネクタは、メモリカード取り出しを考慮して、収容されたメモリカードの外方側部分が表出するように形成してあるか、或いは適宜のイジェクト手段を備える等の配慮がされている。例えば、〔特許文献１〕あるいは〔特許文献２〕には、ＩＣカード用コネクタ（コネクタ）とそのイジェクト機構が開示されている。
【０００９】
ＩＣカード用コネクタにおいて、電子機器については、規格の異なる複数種類のメモリカードを使えると利便性が増す。従って、メモリカード用コネクタにも複数種類のメモリカードに対応したものがある（例えば、特許文献３参照。）。図６は、〔特許文献３〕に添付された図（符号は本明細書での符号と対応関係にない）であり、メモリカード用コネクタ１とＳＤカード５０、ＳＩＭカード６０が示されている。
【００１０】
【特許文献１】
特開平１０−１６２８９４号公報
【特許文献２】
特開平２００２−１２４３２８号公報
【特許文献３】
特開２００１−３０７８０１号公報
【００１１】
種類の異なるメモリカードのうちで、特にマルチメディアカードとＳＤカードは、平面形状も同じで電極端子にも共通部があるため、単一のメモリカード用コネクタで同一の挿入口で両者共用できるようにしたものが既に提供されている。マルチメディアカード６０の裏面（端子側面）を図７（ａ）  に平面図で示す。マルチメディアカードの短辺縁部の７個の平面電極列６１は、ＳＤカードの９個の平面電極列の中央よりのものと略位置互換性がある。なお、ＳＤカードの平面電極列（図６では５１）の厚み方向位置（上面からの距離）は、マルチメディアカードと同じになっている。なお、ＳＤカードでは本体部分は平面電極面から更に下方まで伸びており特に平面電極間では隔壁となっている（図６参照）。
【００１２】
ところで、メモリカードの外形寸法の小形化および多機能化に伴い、接続端子数が増加し、カードの片表面上に平面電極を設けるものでは端部から離れた位置にも平面電極が設けられる。図７（ｂ）に、このようなメモリカードの一例を裏面（端子側面）の平面図で示す。図のメモリカードは、マルチメディアカードと同一サイズであり、マルチメディアカードとＳＤカードの機能を発展統合させたものである。図に示すように、裏面にＳＤカードと略互換の既存の平面電極列７１と、端部から離れた中心寄り位置に短辺に平行に一列に新たに６つの平面電極７２とが設けられ、平面電極列７１の両端のものは、あらたに設けられた平面電極列７２の両端のものに接続してパターンが形成されている。
【００１３】
図７（ｂ）  のメモリカード（以下、便宜上略して新カードとも記載する）に対応したメモリカード用コネクタは、当然にマルチメディアカードに用いられる（上位互換性がある）、更にＳＤカードについても共用できる構成とするのが好ましい。このためには、メモリカードの収容空間部は、より厚いＳＤカードに合わせた厚みを確保することになる。
【００１４】
この場合、ＳＤカードを装着した際には、上述したカードの短辺端部から離れた位置の平面電極７２に対応する弾性コンタクトは、ＳＤカードの形状から必然的にＳＤカードの下面位置まで下方に変位しなければならないため、ＳＤカード対応のコネクタで従来実現されていた限られた小寸法サイズ内で高信頼性のものを得ようとすると、端部から近い既存位置の平面電極のみに対応した弾性コンタクトと同様な設計にては充分には対応できず、違った特性・構造が必要となる。すなわち、単に従来技術を転用しコネクタ端部から長い弾性コンタクトを支持しただけでは、所望の接触圧力や耐久性を得ることができず挫屈するなどの不都合が生じる。なお、コネクタの厚み方向に制限を設けずコネクタの大型化を許容するならば事情は異なり解決方法はあるが、大型化は好ましくないものとしてここでは考えない。
【００１５】
【発明が解決しようとする課題】
上記事情は、上述した共用コネクタの場合に限らず表面実装用の小形メモリカード用コネクタを少ない厚み寸法で構成しようとする場合にひろく当てはまるもので、従来同等の信頼性を保ちながら表面実装用のプリント基板面からできるだけ少ない高さ（離間距離）で、メモリカード下面の平面電極を位置させることのできる弾性コンタクト構成を持ったコネクタ技術の開発が課題となる。
【００１６】
本発明は、上述したような事情に鑑みてなされたもので、既述したような平面電極を配置したメモリカード用の表面実装されるコネクタにおいて、平面電極と表面実装面間の距離を少なくしてプリント基板表面からの高さを抑えた構成の薄形のメモリカード用コネクタを得ることを主な目的とするものである。また、前述した新カードのような端部から離れた位置に平面電極を配置したメモリカードに対して高い信頼性で対応できる構成のメモリカード用コネクタ、新カードとＳＤカードを共用できるメモリカード用コネクタを提供することも目的としている。
【００１７】
【課題を解決するための手段】
上記課題を解決するために請求項１に記載の発明では、矩形薄板状で片面に平面電極を配したメモリカードに対応した、略矩形薄板状でプリント基板に表面実装されるメモリカード用コネクタを、一方の側端面にメモリカード挿入口が開口した収容空間を上部に設けるとともに下方の表面実装面となる底面より更に下方に突出しプリント基板に設ける所定貫通孔に対応した突出支持部を具備した絶縁体でなる有底矩形状のカード収容体と、前記突出支持部に支持される長尺薄板状で弾性を有する金属でなる多数の第１弾性コンタクト群とを含み構成し、前記第１弾性コンタクトそれぞれが、表面実装面位置で表面実装用電極部となる一方の端部の近傍が前記表面実装面位置または前記表面実装面より下方位置で前記突出支持部に支持されて延在し、他方の端部が前記収容空間に先端接触部として位置して、前記収容空間内に収容されたメモリカード下面の各平面電極に個々に接触するように構成する。
【００１８】
請求項２に記載の発明は、請求項１に記載のメモリカード用コネクタにおいて、前記突出支持部が、前記収容空間内に収容されたメモリカード下面の所定平面電極の位置よりも前記挿入口側に形成されるとともに、この突出支持部に支持される前記第１弾性コンタクトは、前記先端接触部が前記カード収容体の軸方向端部側壁に向けて伸び前記収容空間内に収容されたメモリカード下面の所定平面電極に個々に接触するように形成されていることを特徴とする。
【００１９】
また、請求項３に記載の発明は、請求項１に記載のメモリカード用コネクタにおいて、前記突出支持部が、前記カード収容体の軸方向端部側に端部側壁に連続して形成されるとともに、この突出支持部に前記表面実装面より下方位置で支持される前記第１弾性コンタクトは、前記先端接触部が前記カード収容体の挿入口側に向けて伸び前記収容空間内に収容されたメモリカード下面の所定平面電極に個々に接触するように形成されていることを特徴とする。
【００２０】
請求項４に記載の発明では、請求項２または請求項３のいずれかに記載のメモリカード用コネクタにおいて、更に、表面実装面位置で表面実装用電極部となる一方の端部の近傍が前記カード収容体の軸方向端部側壁に前記表面実装面位置または前記表面実装面より上方位置で固定されて延在し、他方の端部が前記収容空間に先端接触部として位置して、前記収容空間内に収容されたメモリカード下面の所定平面電極に個々に接触する多数の第２弾性コンタクト群を備えた構成とする。請求項５に記載の発明では、前記収容空間および前記第２弾性コンタクト群を、マルチメディアカードおよび／またはＳＤカードに適合したものにする。
【００２１】
【発明の実施の形態】
〔第１実施例〕以下、実施例をあげ図を用いて本発明について詳細に説明する。図１（ａ）は実施例メモリカード用コネクタの収容体および弾性コンタクトを明示した裏面平面図、図１（ｂ）は同じく側面図（共にカバーについては破線で示す）、また、図１（ｃ）  はプリント基板に実装して新カードを装着した状態で示す側断面図である。なお、図１（ｃ）  には弾性コンタクトのカード非装着時の形状（先端位置：符号Ｍ、Ｍ′）を併せて示してある。
【００２２】
この実施例では、突出支持部が、収容空間内に収容されたメモリカード下面の所定平面電極の位置よりも挿入口側に形成され、また、この突出支持部に略表面実装面位置で固定された第１弾性コンタクト群は長尺部分がカード収容体の軸方向端部側壁に向けて伸びて先端接触部が収容空間内に位置して収容されたメモリカード下面の所定平面電極に個々に接触するように形成されている。
【００２３】
図１を参照して第１実施例のメモリカード用コネクタ１００  の構成を説明する。このメモリカード用コネクタ１００  は主として、絶縁材料でなり下面に下方突出部１１１が形成されているカード収容体１１０（以下、単に収容体と記す）と、この収容体１１０に固設された弾性コンタクト（第１弾性コンタクト群１２０および第２弾性コンタクト群１３０）、および収容体の上面と両側面を覆うカバー１４０とで構成されている。
【００２４】
図において、１１０は電気絶縁性を有した、ほぼ直方体形状の偏平なカード収容体（基体）であり、上面側には、適合するメモリカード（マルチメディアカードおよび／またはＳＤカードを含む）を収納するためにメモリカードの軸方向断面形状および平面形状に合わせ、また、一方の側端面にメモリカード挿入口１１０ａが開口した収容空間１１１が穴状に形成され、下部に底板部１１２を残した形状をしている。本実施例ではメモリカードＣＤの前端側１／２が収容空間１１１に収容される。
【００２５】
カード収容体１１１の下側表面（底面）１１２ａの大部分は表面実装面になるが下側表面の後端（図では右方）には前記表面実装面より更に下方に突出して幅方向に帯状に伸びる突出支持部１１３が形成されている。この帯状の突出支持部１１３には前記下側表面（表面実装面）と略同じ位置に、後述する第１弾性コンタクト１２０が支持されている。換言すると、第１弾性コンタクト１２０は突出支持部の上端部と前記底板部１１２との境界部分に埋め込まれている。
【００２６】
前記カード収容体の軸方向一方の端部Ｆ（図１では左方の端部、以下では前端部という）は、端部側壁１１４を残して幅方向（図における上下方向）中央部に狭幅帯状の貫通孔１１５が形成されていて収容空間１１１に連通している。また、底板部１１２の前記帯状の突出支持部１１３の前端側で図７（ｂ）  のメモリカードの中心側の電極列７２に対応する部位に矩形状の貫通孔１１６が２カ所形成されていて収容空間１１１に連通している。
【００２７】
このような形状のカード収容体１１０は、例えばガラス繊維を混入して強化した液晶ポリマー樹脂（ＬＣＰ）やポリカーボネイト等適宜の合成樹脂材料を用いて、例えば射出成型により一体に形成することができる。カバー１４０が組合わさると一方の端部のみ開口したカード収容空間１１１が形成され、メモリカードＣＤが電極面を下向きに挿入口１１１ａから挿入される。なお、イジェクト機構は特には設けておらずカードＣＤの露出した後端を摘んで引抜くことができる。
【００２８】
次に、弾性コンタクト（弾性接触子）について説明する。本メモリカード用コネクタ１００には、図７（ｂ）のメモリカード先端寄りに一列に配置された各平面電極群７１に個々に接触する第２弾性コンタクト１３０と、図７（ｂ）符号７２の各中央寄り電極群７２に対応した第１弾性コンタクト１２０とが設けられている。個々の弾性コンタクトは、弾性金属材料で作られている。それぞれの弾性コンタクトのメモリカードに接触させる先端側は上方に反らせるとともに先端部は上方を凸面として円弧状に湾曲させてあるか（第２弾性コンタクト）、先端を下方に折り曲げてあり（第１弾性コンタクト）、挿入されて水平方向からスライドしてくるメモリカードＣＤに弾性力で押圧接触する。規定挿入位置では、各先端は、メモリカードの位置対応する平面電極７１，７２と接触して電気的に接続される。
【００２９】
先ず、前記端部側壁１１４には、図７（ｂ）  の平面電極７１に対応して（これは、マルチメディアカードおよびＳＤカードの平面電極にも対応）、従来同様の長尺薄板状で弾性を有する金属でなる第２弾性コンタクト群１３０が取り付けられている。すなわち、カード収容体１１０のメモリカードの嵌め込み方向（軸方向；図１では左右方向。右方よりカードが挿入される）の一方の端部Ｆ（図では左方端、以下、前端部という）の表面実装面の少し上の位置には、電極として金属板でなる弾性コンタクト１３０が実施例では９本、所定間隔で固定されている。
【００３０】
この第２弾性コンタクト１３０は、一方の端部の近傍幅広部分が該端部を外方にして端部側壁１１４に固定されて延在し、前記一方の端部は所定形状に屈曲されて収容体下側表面１１２ａ（表面実装面）の高さまで湾曲下降して水平になった先端１３０ａが表面実装用の半田付け端子となる。そして他方側は前記収容空間１１１に位置して上方に反らせ、また先端部１３０ｂは上方を凸面に円弧状に屈曲変形させてある。その先端頂部Ｍ′は常態では湾曲部頂部は前記収容空間内に突出していて、前記収容空間１１１内に収容されたメモリカード下面の平面電極７１に個々に接触する先端接触部となる。なお、弾性コンタクトの中央よりの２本は他のものより長いがこれは活線接続制御に適合させるためである。既述したようにカード収容体１１０は弾性コンタクト群１３０の下方部分に矩形状の貫通孔１１５が形成してあり弾性コンタクトの変形移動を妨げないようになっている。
【００３１】
このように、各第２弾性コンタクトは、従来と同様にその一方の端部の近傍が収容体の側壁部の下面から僅かに高い位置に一列に一体成形されて支持されていてその先端は開口側に伸び、他端は側壁から突出しており表面実装の際にプリント基板に半田付けされる表面実装用端子となる。
【００３２】
一方、図７（ｂ）  のメモリカード中心寄りの平面電極列７２に個別に接触するものとして、表面実装面と略同じ位置、すなわち、前記下方突出部１１３の上端位置（前記底板部１１２との境の位置）に、やはり長尺薄板状で弾性を有する金属でなる第１弾性コンタクト群１２０が一列に取り付けられている。
【００３３】
これら第１弾性コンタクト１２０は、一方の端部１２０ａの近傍幅広部が該端部が開口側になるように下方突出部１１３に支持されていて、当該端部１２０ａは収容体の下側表面１１２（表面実装面）に沿って開口側に延びて、表面実装の際にプリント基板に半田付けされる表面実装用端子１２０ａとなる。第１弾性コンタクト１２０の反対側部分は上方に反らせて前記収容空間１１１に延在して、また先端部１２０ｂは下方に僅かに屈曲変形させてある。この先端屈曲部Ｍが、前記収容空間内に収容されたメモリカード下面の平面電極７２に個々に接触する先端接触部となる。
【００３４】
これら弾性コンタクト１２０，１３０は、所定部位に設けた取付孔に後から嵌め込んで組付けてもよいが、カード収容体１１０を成型加工により製造する時に同時に埋め込むことで一体に形成しても良い。各弾性コンタクトの表面実装用端子１２０ａ，１３０ａが、所定プリント基板の対応するランドに半田付けされる。
【００３５】
前記カバー１４０は、真鍮等の金属薄板製で断面コ字状に加工されていてメッキをほどこしてあり、前記収容体１１０を上面から覆うようにして収容体に係合・固定されている。固定は、前記収容体の側面それぞれに２カ所形成されている係合突起１１７とこれに対応してカバー１４０の両脚部それぞれに２つ設けた矩形の係合孔１４１とを嵌合させて行っている。１４０ａはプリント基板のランドに半田付けするためにカバー底部で折り曲げた固定用爪である。
【００３６】
以上のように構成された本実施例のコネクタは、プリント基板上の所定加工を施してある実装位置に表面実装される。プリント基板上で本発明のメモリカード用コネクタを実装する位置には、メモリカードコネクタを固定するためにコネクタの全ての弾性コンタクトの表面実装用端子１２０ａ，１３０ａに対応する位置とケースの固定用爪１４０ａ（シールド用接続部）に対応する位置とに接続用のランド（接続用電極部）を設けておく。またプリント基板の前記下方突出部１１３に対応する領域および第１弾性コンタクト１２０の下方となる部分（前述収容体の貫通穴部１１６に相当する部分に一致させる）には、対応する断面形状の貫通孔（切欠き）が予め形成されている。図２に、この実施例に適合した、プリント基板上のコネクタ取り付け部位の態様を示す。また、前述の図１（ｃ）  の側断面図は、実施例コネクタを図２のように加工したプリント基板の該当部へ取付けた状態を示している。２００はプリント基板、２０１は突出部等に対応して切り欠いた貫通孔（切り欠き部）、２０２，２０３は前記表面実装用端子が半田付けされるランド、２０４は前記カバーの固定用爪１１４ａが半田付けされるランドである。プリント基板の孔加工は、図３に示すように、第２弾性コンタクト１３０の下方位置部分を合わせて切り欠いた大きな貫通孔２０１′を形成しても良い。
【００３７】
プリント基板は小形機器用では例えば０．３ｍｍ程度であるが、殆どの小形電子装置で採用される両面実装基板の場合には、実施例のコネクタはプリント基板に実装した状態でも通常は不都合は生じない。一般には表面実装されるその他の電子部品高さは少なくとも１ｍｍ程度あり、前述した突出部はプリント基板の裏面側にこれより突出することはないからである。
【００３８】
本実施例コネクタの作用を説明する。コネクタ１００  にメモリカードＣＤを装着するには、メモリカードＣＤを向きを合わせてコネクタの開口部から差しみ、奥まで押し込むことで安定した装着状態となる。この状態ではメモリカード下面の平面電極（電極パッド）夫々には対応する各弾性コンタクトの先端が押圧されて個々に接触して所定の電気接続がなされる。挿入されたカードが、図７（ｂ）  に示した新カードの場合は、第１弾性コンタクト群１２０は、平面電極７２に接触して電気接続がなされる。しかし、挿入カードがマルチメディアカードあるいはＳＤカードの場合には、第１弾性コンタクト１２０は、カード下面の絶縁体の下面に接触するのみで電気的には機能しない。特に、ＳＤカードが挿入された場合には弾性コンタクト１２０の先端部分は、突出支持部の内部空間内で表面実装面より更に下方側まで変位することができる。また、ＳＤカード挿入時には、カード下面は、先ず第１弾性コンタクト１２０の斜面部に当たるため引っかかったりせずスムーズに奥まで挿入できる。カードの取り外し時は、挿入してあるカードの後端をつまんで容易に取り出せる。
【００３９】
以上説明した、実施例のメモリカード用コネクタは、マルチメディアカードとＳＤカードを含め、複数のカードに適合していながら、上述構成によって表面実装面よりの高さが極めて低く抑えられていて薄型であり、従って、搭載装置の薄型化・小形化が容易に行える。
【００４０】
〔第２実施例〕次に、図４を用いて本発明の第２の実施例について説明する。図４の（ａ）  〜（ｄ）  の各図は本発明のメモリカード用コネクタの第２実施例を示す図で、（ａ）  は裏面平面図であり（ｂ）  は側面図、（ｃ）  および（ｄ）  は夫々プリント基板への実装状態と内部の弾性コンタクト（接触子電極）を明示した側断面図である。
【００４１】
この実施例のコネクタ３００も、前実施例と同様に、絶縁材料でなり下面に下方突出部が形成されているカード収容体３１０と、この収容体３１０に固設された弾性コンタクト（第１弾性コンタクト群３２０および第２弾性コンタクト群３３０）、および収容体の上面と両側面を覆うカバー１４０とで構成されている。
【００４２】
この実施例では第１弾性コンタクト群３２０を支持する突出支持部３１３が、軸方向端部側壁側で有底中空に形成されている。そして、この突出支持部３１３に略表面実装面位置よりも更に下方位置で第１弾性コンタクト群３２０が固定され、その長尺部分がカード収容空間部に向けて伸びて先端接触部が収容空間内に位置していて収容されたメモリカード下面の所定平面電極に個々に接触するように形成してある。
【００４３】
第２実施例のメモリカード用コネクタ３００のカード収容体３１０は、図４に示すように、ほぼ直方体形状の偏平で、上面側には、適合する新メモリカード、マルチメディアカード、ＳＤカードを収納するためにＳＤメモリカードの断面形状および平面形状に合わせ一方の側端面にメモリカード挿入口３１１ａが開口した（収容空間）３１１が形成されて略有底矩形状をしている。収容空間３１１の下方には、底板部３１２が残っている。実施例ではカードの後端略１／４を残して約３／４の部分が収容空間３１１に収容される。
【００４４】
前記カード収容体の軸方向一方の端部（前端部：図では左方の端部）には、端部側壁を残して幅方向（図４（ａ）  にて上下方向）中央部に帯状の溝部３１５が収容空間３１１に連通して連続して形成されている。従って、下面は底板部３１２が、前端部には端部壁部３１４が垂直に残っている。また、表面実装面になる底板部３１２の前端部には、下面３１１ａ（前記表面実装面）より更に下方に突出して断面矩形で中空有底の突出支持部３１３が２カ所形成されている。突出支持部３１３の前端壁は、前記端部側壁３１４と同一面になっており、突出支持部３１３の内部空間３１６は前記溝部３１５および前記収容空間３１１に連通している。収容体３１０の側面には係合突起３１７が形成されていて、カバー１４０の両脚部の係合孔と嵌合する。
【００４５】
このカード収容体３１０は、材質・製法等は前実施例同様で良い。カバー１４０が組合わさることで一方の端部のみ開口したカード収容空間３１１が形成され、メモリカードが電極面を下向きに電極側から挿入される。なお、カード収容体３１０の一方の側方部分にプッシュプッシュ式のイジェクト機構が組み込まれているがここでは説明は省略する。
【００４６】
前記弾性コンタクトの内でメモリカード先端寄りの平面電極群に個々に接触する９本の第２弾性コンタクト３３０は、第１実施例の場合と全く同様で、その一方の端部の近傍が該端部をコネクタ外方にして端部側壁に固定されて延在し、前記一方の端部が所定形状に屈曲されて表面実装面まで下降して表面実装用の半田付け端子３３０ａとなる。そして他方の端部は前記収容空間に位置して、前記収容空間内に収容されたメモリカード下面の所定平面電極に個々に接触する先端接触部３３０ｂとなる。
【００４７】
前記端部側壁の突出支持部３１３の空間内底面際位置、従って前記表面実装面より下方位置には、図４に示すように第１弾性コンタクト３２０が、一列に一体成形されて支持されている。各第１弾性コンタクト３２０は、一方の端部（３２０ａ）の近傍が該端部を外方にして突出支持部の端部側壁に固定されて延在し、前記一方の端部は所定形状に屈曲されて突出部内を収容体下面の高さまで湾曲上昇して端部側壁３１４から突出して後方に伸び表面実装の際にプリント基板に半田付けされる表面実装用端子３２０ａとなる。  そして他方の端部は前記収容空間に位置して、前記収容空間内に収容されたメモリカード下面の前記平面電極に個々に接触する先端接触部３２０ｂとなる。
【００４８】
上述の収容体３１０と弾性コンタクト３２０，３３０の結合体に、上面を覆うカバー１４０が固定される。このカバー１４０および固定方法については、前実施例と全く同じであるから、説明は繰り返さない
【００４９】
第２実施例のコネクタの使用方法は、第１実施例と略同様である。図５のプリント基板上のコネクタ取り付け部位の態様を示す説明図に示すように、プリント基板４００に予め前記下方突出部３１３に対応した貫通孔４０１を開けておく。また、プリント基板上で実施例コネクタの全ての第１および第２の弾性コンタクトの表面実装用端子に対応する位置とケースのシールド用接続部に対応する位置に接続用のランド４０５，４０６，４０７を設けておく。これにより、実施例のコネクタもプリント基板上の所定位置に表面実装できる。
【００５０】
この時、実施例のメモリカード用コネクタは、下面全てが封止された有底構造であるためリフロー炉を用いることができる。これに対して前第１実施例のコネクタはプリント基板の上下を貫通する孔部ができるため、リフロー炉を用いることができない。図４（ｃ），（ｄ）  の側断面図は、プリント基板に表面実装された本実施例のコネクタを示している。
【００５１】
コネクタ４００にメモリカードを装着するには、メモリカードＣＤを向きを合わせてコネクタの開口部から差し込む。奥まで押し込むことでイジェクト機構にロックがかかり安定した装着状態となる。この状態でメモリカード下面の電極パッド夫々には各弾性コンタクトの先端接触部が個々に接触して所定の電気接続がなされる。なお、第１弾性コンタクト３２０の最先端部分は、挿入カードがマルチメディアカードあるいはＳＤカードの場合には下面の絶縁体の下面に接触するのみで電気的には機能しない。特に、ＳＤカードが挿入された場合には第１弾性コンタクトの先端接触部は、突出部の内部空間部で表面実装面より更に下方側まで変位することができる。挿入されたカードが、図７（ｂ）  に示したカードの場合は、第１弾性コンタクト群３２０は、平面電極７２に接触して電気接続される。  カードの取り外しは、挿入してあるカードの後端を押して、カードを更に奥まで押し込むとプッシュプッシュ式の係止機構のロックがはずれてコイルばねの弾性でカードが手前に移動してコネクタとの電気接触がはずれるとともに容易に摘んで取り出すことができる。
【００５２】
以上説明した、各実施例のメモリカード用コネクタは、マルチメディアカードと新カードの両方、あるいは更にＳＤカードを含めた複数のカードに適合していながら、上述構成によって表面実装面よりの高さを極めて低く抑えられていて、搭載装置の薄型化・小形化が容易に行える。
【００５３】
なお、第２実施例では、突出支持部を中空な構造としたが、第１弾性コンタクトが収容できれば良いので第１コンタクトの形状に合わせた溝を下方に向けて形成しておいても良い。また、両実施例は、マルチメディアカードとＳＤカードを含め、３種類のカードを共用できるように設計されたものを説明したが、本発明の技術を用いてマルチメディアカード専用のメモリコネクタとすることもでき、マルチメディアカード用の弾性コンタクト全てを下方突出部に取り付ることで、従来のものより更に薄型化ができる。これと同様に、本発明をこの種カードの特定単一種類専用の表面実装用のメモリカード用コネクタに適用すれば、等しくその薄型化が達成できる。
【００５４】
【発明の効果】
以上詳述したとおり、本願発明によれば、メモリカード用コネクタにおいて、その表面実装面からの高さを抑えて小形化できる。特化した例として、マルチメディアカードに更に端子を加えたマルチメディアカードと上位互換のメモリカードと、ＳＤカードとを共通に扱えるメモリカード用コネクタを、充分な信頼性を保ちつつ表面実装面からの高さをＳＤカードの厚さに極めて近づけた小形サイズで実現することができる。
【図面の簡単な説明】
【図１】実施例メモリカード用コネクタの収容体および弾性コンタクトを明示した裏面平面図（ａ）  、同じく側面図（ｂ）、プリント基板に実装してカードを装着した状態で示す側断面図（ｃ）である。
【図２】図１の実施例コネクタに適合した、プリント基板上のコネクタ取り付け部位の態様を示す説明図である。
【図３】図１の実施例コネクタに適合した、プリント基板上のコネクタ取り付け部位の他の態様を示す説明図である。
【図４】本発明第２実施例のメモリカード用コネクタの、裏面平面図（ａ）  、側面図（ｂ）  、およびプリント基板への実装状態と内部の弾性コンタクト（弾性コンタクト；電極）を明示した側断面図（ｃ）  、（ｄ）  である。
【図５】図４の実施例コネクタに適合した、プリント基板上のコネクタ取り付け部位の他の態様を示す説明図である。
【図６】従来のメモリカード用コネクタの一例を説明する図である。
【図７】マルチメディアカードの裏面（端子側面）を示す平面図（ａ）、および本発明に係るカード例の裏面（端子側面）を示す平面図（ｂ）  である。
【符号の説明】
７１，７２…平面電極（列）
１００，３００…メモリカード
１１０，３１０…カード収容体
１１１，３１１…収容空間（穴部）
１１１ａ，３１１ａ…メモリカード挿入口
１１２，３１２…底板部
１１２ａ，３１２ａ…下側表面（底面）
１１３，３１３…突出支持部
１１４，３１４…端部側壁
１１５，１１６…貫通孔
１１７，３１７…係合突起
１２０，３２０…第１弾性コンタクト
１２０ａ，３２０ａ…表面実装用端子（半田付け用端子）
１３０，３３０…第２弾性コンタクト
１３０ａ，３３０ａ…表面実装用端子（半田付け用端子）
１４０…カバー
１４０ａ…固定用爪
１４１…係合孔
２００，４００…プリント基板
２０１，２０１’，４０１…貫通孔（切り欠き部）
２０２，２０３，４０５，４０６，４０７…ランド
３１５…溝部
ＣＤ…メモリカード
Ｆ…前端部
【図１】
2004152541.tif 000003
【図２】
2004152541.tif 000004
【図３】
2004152541.tif 000005
【図４】
2004152541.tif 000006
【図５】
2004152541.tif 000007
【図６】
2004152541.tif 000008
【図７】
2004152541.tif 000009